(57)【要約】【課題】この発明は、簡易な構成で衛星からの放送電波を妨害なく効率的に受信し得る放送受信装置及び放送受信方法を提供することを目的としている。【解決手段】それぞれ衛星放送を受信する第１及び第２のアンテナ２０ａ，２０ｂと、この第１及び第２のアンテナ２０ａ，２０ｂを支持する本体１５と、この本体１５に開閉可能に支持された表示部１８とを備える。そして、本体１５の表示部１８を開位置にした使用状態で上方を向く面１５ａに、第１及び第２のアンテナ２０ａ，２０ｂを共に設置する。【選択図】    図２
2004254117.tif 000002
【特許請求の範囲】
【請求項１】
それぞれ衛星放送を受信する第１及び第２のアンテナと、
この第１及び第２のアンテナを支持する本体と、
この本体に開閉可能に支持された表示部とを具備し、
前記本体に対して前記表示部を開位置にした使用状態で、前記第１及び第２のアンテナが共に上方を向くように構成したことを特徴とする放送受信装置。
【請求項２】
それぞれ衛星放送を受信する第１及び第２のアンテナと、
この第１及び第２のアンテナを支持し、表示部及び操作部を有する本体とを具備し、
前記本体の表示部及び操作部の使用状態で、前記第１及び第２のアンテナが共に上方を向くように構成したことを特徴とする放送受信装置。
【請求項３】
それぞれ衛星放送を受信する第１及び第２のアンテナと、
この第１及び第２のアンテナを支持する本体と、
この本体に開閉可能に支持された表示部とを具備し、
前記本体の前記表示部を開位置にした使用状態で上方を向く面に、前記第１及び第２のアンテナを共に設置したことを特徴とする放送受信装置。
【請求項４】
それぞれ衛星放送を受信する第１及び第２のアンテナと、
この第１及び第２のアンテナを支持する本体と、
この本体に、その使用状態で上方を向く面を開閉するように支持された表示部とを具備し、
前記本体の使用状態で上方を向く面のうち、前記表示部を閉じた状態で覆われる面に、前記第１及び第２のアンテナを共に設置したことを特徴とする放送受信装置。
【請求項５】
それぞれ衛星放送を受信する第１及び第２のアンテナと、
この第１及び第２のアンテナを支持する本体と、
この本体に、その使用状態で上方を向く面を開閉するように支持された表示部とを具備し、
前記本体の使用状態で上方を向く面で、かつ、前記表示部を閉じた状態で覆われる面のうち、前記表示部を支持している部分の近傍に、前記第１及び第２のアンテナを共に設置したことを特徴とする放送受信装置。
【請求項６】
それぞれ衛星放送を受信する第１及び第２のアンテナと、
この第１及び第２のアンテナを支持し、表示部及び操作部を有する本体とを具備し、
前記本体のうち前記表示部及び操作部の使用状態で上方を向く面に、前記第１及び第２のアンテナを共に設置したことを特徴とする放送受信装置。
【請求項７】
それぞれ衛星放送を受信する第１及び第２のアンテナと、
この第１及び第２のアンテナを支持する本体と、
この本体に開閉可能に支持された表示部とを具備し、
前記表示部のうち使用状態で上方を向く面に、前記第１及び第２のアンテナを共に設置したことを特徴とする放送受信装置。
【請求項８】
それぞれ衛星放送を受信する第１及び第２のアンテナと、
この第１及び第２のアンテナを支持する本体と、
この本体に開閉可能に支持された表示部とを具備し、
前記本体のうち前記表示部を閉じた状態で覆われる面に前記第１のアンテナを設置し、前記本体のうち前記表示部を閉じた状態で覆われない面に前記第２のアンテナを設置したことを特徴とする放送受信装置。
【請求項９】
それぞれ衛星放送を受信する第１及び第２のアンテナと、
この第１及び第２のアンテナを支持し、表示部及び操作部を有する本体とを具備し、
使用状態で上方を向く面で前記操作部と切り離した位置に、前記第１及び第２のアンテナを共に設置したことを特徴とする放送受信装置。
【請求項１０】
それぞれ衛星放送を受信する第１及び第２のアンテナと、
この第１及び第２のアンテナを支持し、操作部を有する本体と、
この本体に開閉可能に支持された表示部とを具備し、
前記本体の前記表示部を開位置にした使用状態で上方を向く面で、前記操作部と切り離した位置に、前記第１及び第２のアンテナを共に設置したことを特徴とする放送受信装置。
【請求項１１】
それぞれ衛星放送を受信する第１及び第２のアンテナと、
この第１及び第２のアンテナを支持し、操作部を有する本体と、
この本体に開閉可能に支持された表示部とを具備し、
前記本体の前記表示部を開位置にした使用状態で上方を向く面のうち、前記表示部を支持している部分の近傍に前記第１及び第２のアンテナを共に設置し、前記表示部を支持している部分から離れた位置に前記操作部を設置したことを特徴とする放送受信装置。
【請求項１２】
それぞれ衛星放送を受信する第１及び第２のアンテナと、
この第１及び第２のアンテナを支持する本体と、
この本体に開閉可能に支持された表示部とを具備し、
前記本体の前記表示部を開位置にした使用状態で上方を向く面に前記第１及び第２のアンテナを共に設置するとともに、前記本体の前記第１及び第２のアンテナの設置位置と異なる位置に把持するためのガイド部を形成したことを特徴とする放送受信装置。
【請求項１３】
前記ガイド部の近傍に操作部を配置したことを特徴とする請求項１２記載の放送受信装置。
【請求項１４】
本体にその使用状態で上方を向く面に設置された第１及び第２のアンテナで共に衛星放送を受信する工程と、
前記第１及び第２のアンテナでそれぞれ受信した放送信号を加算して再生のための信号処理を施す工程とを有することを特徴とする放送受信方法。
【請求項１５】
本体に開閉可能に支持された表示部を開位置にした使用状態で、前記本体の上方を向く面に設置された第１及び第２のアンテナで共に衛星放送を受信する工程と、
前記第１及び第２のアンテナでそれぞれ受信した放送信号を加算して再生のための信号処理を施す工程とを有することを特徴とする放送受信方法。
【請求項１６】
本体に設けられた表示部及び操作部の使用状態で、前記本体の上方を向く面に設置された第１及び第２のアンテナで共に衛星放送を受信する工程と、
前記第１及び第２のアンテナでそれぞれ受信した放送信号を加算して再生のための信号処理を施す工程とを有することを特徴とする放送受信方法。
【発明の詳細な説明】
【０００１】
【発明の属する技術分野】
この発明は、衛星放送を受信する携帯型の放送受信装置に関する。また、この発明は、衛星放送を受信する放送受信方法に関する。
【０００２】
【従来の技術】
周知のように、現在、衛星を介してテレビジョン放送、ラジオ放送及びデータ放送等を行ない、これらの放送コンテンツを携帯型の放送受信端末により移動しながら受信可能とする、いわゆるモバイルＴＶ（Ｔｅｌｅｖｉｓｉｏｎ）放送システムが開発されている。
【０００３】
ところで、このようなモバイルＴＶ放送システムにあっては、放送受信端末を小型軽量化し、ユーザが手で持った状態で、操作や放送コンテンツの視聴を行なわせている。このため、モバイルＴＶ放送システムの実用化に際しては、放送受信端末が、衛星からの放送電波を妨害なく効率的に受信できるような対策を施すことが肝要となる。
【０００４】
ここで、特許文献１には、屋内のみならず、移動体搭載用、携帯用としてのニーズに対応した簡易受信装置で受信可能な衛星放送システムが開示されている。しかしながら、この特許文献１では、衛星の送信アンテナ自体を改良する構成であるため、実用化に不向きとなる。
【０００５】
また、特許文献２には、液晶テレビ装置等の移動状態で使用されるテレビ受信機に適用され、映像、音声共に安定した良好な受信を行なうことが可能なアンテナ制御装置が開示されている。
【０００６】
しかしながら、この特許文献２では、２つの受信アンテナで受信した信号を加算し、その加算信号レベルに基づいて一方の受信アンテナで得られた受信信号の利得制御を行なうようにしたもので、回路構成が複雑化して実用化に不向きとなる。
【０００７】
【特許文献１】
特開平１０−３０８９４１号公報
【０００８】
【特許文献２】
特開平８−２３４８２号公報
【０００９】
【発明が解決しようとする課題】
そこで、この発明は上記事情を考慮してなされたもので、簡易な構成で衛星からの放送電波を妨害なく効率的に受信し得る放送受信装置及び放送受信方法を提供することを目的とする。
【００１０】
【課題を解決するための手段】
この発明に係る放送受信装置は、それぞれ衛星放送を受信する第１及び第２のアンテナと、この第１及び第２のアンテナを支持する本体と、この本体に開閉可能に支持された表示部とを備え、本体の表示部を開位置にした使用状態で上方を向く面に、第１及び第２のアンテナを共に設置するようにしたものである。
【００１１】
また、この発明に係る放送受信方法は、本体にその使用状態で上方を向く面に設置された第１及び第２のアンテナで共に衛星放送を受信する工程と、第１及び第２のアンテナでそれぞれ受信した放送信号を加算して再生のための信号処理を施す工程とを有するようにしたものである。
【００１２】
上記のような構成及び方法によれば、使用状態で上方を向く面に第１及び第２のアンテナを共に設置するようにしたので、簡易な構成で衛星からの放送電波を妨害なく効率的に受信することが可能となる。
【００１３】
【発明の実施の形態】
以下、この発明の第１の実施の形態について図面を参照して詳細に説明する。図１は、この第１の実施の形態で説明するモバイルＴＶ放送システムを概略的に示している。
【００１４】
すなわち、放送局１１から送信された放送コンテンツは、衛星１２を介してユーザの所持する携帯型の放送受信端末１３に受信されることにより、ユーザの視聴に供される。
【００１５】
また、このモバイルＴＶ放送システムでは、衛星１２からの放送電波を、ギャップフィラー１４を介して、例えば屋内や地下等の衛星１２からの放送電波が届かない場所に存在する放送受信端末１３に供給している。
【００１６】
図２は、上記放送受信端末１３の外観を示している。すなわち、この放送受信端末１３は、薄厚の直方体状に形成された本体１５を備えている。この本体１５の長手方向の一端部は、その一方の平面１５ａの厚みが階段状に増加して電池収納部１６となされている。
【００１７】
また、本体１５の一方の平面１５ａのうち、電池収納部１６を除く部分は、薄厚の直方体状に形成されたカバー体１７によって開閉される。この場合、本体１５の一方の平面１５ａのうち、電池収納部１６に繋がる一方の周縁部分に、カバー体１７の１つの周縁部分が回動自在に支持されている。
【００１８】
これにより、カバー体１７は、本体１５の一方の平面１５ａのうち、電池収納部１６を除く部分を覆う閉位置と、図２に示すように、本体１５の一方の平面１５ａから所望の角度で起立する開位置とを取り得ることになる。
【００１９】
ここで、上記カバー体１７のうち、本体１５の一方の平面１５ａに対向する平面１７ａには、映像表示部としての液晶パネル１８が設置されている。また、本体１５の一方の平面１５ａのうち、電池収納部１６を除く部分には、複数の操作子を有する操作部１９が設置されている。
【００２０】
この場合、上記操作部１９は、本体１５の一方の平面１５ａのうち、カバー体１７を支持している周縁部分と反対側の周縁部分に近い領域に設置される。換言すれば、操作部１９は、本体１５の一方の平面１５ａのうち、カバー体１７を支持している周縁部分から所定間隔離れた領域に設置される。
【００２１】
そして、本体１５には、その一方の平面１５ａのうち、カバー体１７を支持している周縁部分に近い領域に、ほぼ四角形の平板状に形成された２つのアンテナ２０ａ，２０ｂが埋設されている。
【００２２】
図３は、上記放送受信端末１３の信号処理系を示している。すなわち、この放送受信端末１３は、２．６ＧＨｚの放送電波を安定に受信するために最大３ｄＢ以上の利得を得ることが可能なダイバーシティ受信方式を採用しているため、上記した２つのアンテナ２０ａ，２０ｂを備えている。
【００２３】
この２つのアンテナ２０ａ，２０ｂで受信された放送信号は、それぞれ、ＲＦ（Ｒａｄｉｏ  Ｆｒｅｑｕｅｎｃｙ）モジュール部２１に供給されて加算された後、選局処理、ＣＤＭ（Ｃｏｄｅ  Ｄｉｖｉｓｉｏｎ  Ｍｕｌｔｉｐｌｅｘ）復調処理及び認証処理等が施される。
【００２４】
そして、このＲＦモジュール部２１から出力された放送信号は、デコード処理部２２に供給されてＭＰＥＧ（Ｍｏｖｉｎｇ  Ｐｉｃｔｕｒｅ  Ｅｘｐｅｒｔｓ  Ｇｒｏｕｐ）４規格のデコード処理が施される。
【００２５】
また、このデコード処理部２２は、デコード処理後の音声信号をアナログ化して音声出力端子２３を介して外部に出力可能としている。さらに、このデコード処理部２２は、デコード処理後の映像信号をグラフィック処理部２４に出力している。
【００２６】
このグラフィック処理部２４は、入力された映像信号に所定のグラフィック処理を施して、アナログ化した後、液晶パネル１８に出力して映像表示させるとともに、映像出力端子２５を介して外部に出力可能としている。
【００２７】
上記した一連の受信動作は、例えばＣＰＵ（Ｃｅｎｔｒａｌ  Ｐｒｏｃｅｓｓｉｎｇ  Ｕｎｉｔ）等でなるシステムコントローラ２６によって統括的に制御されている。このシステムコントローラ２６は、上記操作部１９から得られる操作情報を受けて、ユーザの要求する動作状態が実現されるように、各部２１，２２，２４を制御している。
【００２８】
この場合、システムコントローラ２６は、例えば不揮発性メモリ等でなる第１の記憶部２７に格納された制御プログラムや各種の設定値等に基づいて、また、この第１の記憶部２７をワークエリアとして、各部２１，２２，２４の制御を行なっている。
【００２９】
また、上記システムコントローラ２６は、デコード処理部２２で得られたデジタル音声信号と、グラフィック処理部２４で得られたデジタル映像信号とを、例えば３２Ｍバイトのフラッシュメモリ等でなる第２の記憶部２８に対して、記録再生することができる。
【００３０】
ここで、再び図２を参照しながら説明すると、上記放送受信端末１３は、ユーザが、本体１５をほぼ水平となるように両手で持ち、カバー体１７を本体１５の一方の平面１５ａから所定の角度で起立させ、液晶パネル１８を目視可能な状態にして使用される。
【００３１】
このとき、放送受信端末１３は、カバー体１７の本体１５との接続部が下側となるように、つまり、操作部１９が上方を向くように、その本体１５がユーザに支持される。
【００３２】
すなわち、放送受信端末１３は、通常の使用状態においては、常時、その本体１５の一方の平面１５ａが上方、つまり、衛星からの放送電波が到来する方向を向くことになる。
【００３３】
このため、通常の使用状態において必ず上方を向く、本体１５の一方の平面１５ａに沿って２つのアンテナ２０ａ，２０ｂを共に埋設することにより、これらのアンテナ２０ａ，２０ｂには、衛星１２からの放送電波が、その入射角度が０°となることなく効率的に受信されることになる。
【００３４】
また、本体１５の一方の平面１５ａのうち、カバー体１７を支持している周縁部分から所定間隔離れた領域に操作部１９を設置し、カバー体１７を支持している周縁部分に近い領域、つまり、液晶パネル１８の近傍となる領域に２つのアンテナ２０ａ，２０ｂを共に設置している。
【００３５】
すなわち、通常の使用状態において、ユーザの手元に近い領域に操作部１９を設置し、ユーザから遠くユーザが手を延ばす必要のない領域に２つのアンテナ２０ａ，２０ｂを共に設置している。
【００３６】
つまり、本体１５内で、操作部１９の設置位置とアンテナ２０ａ，２０ｂの設置位置とを切り離すようにしている。このため、ユーザの手によって２つのアンテナ２０ａ，２０ｂが覆われてしまう可能性が少なくなり、放送電波を妨害なく効率的に受信することができる。
【００３７】
図４は、この発明の第２の実施の形態を、図２と同一部分に同一符号を付して示している。すなわち、この第２の実施の形態では、カバー体１７のうち、本体１５に支持されている周縁部分と反対側の側面１７ｂ、つまり、本体１５の一方の平面１５ａから所定の角度で起立された通常の使用状態で上方を向く側面１７ｂに、２つのアンテナ２０ａ，２０ｂを共に埋設している。
【００３８】
この第２の実施の形態に示される構成によれば、通常の使用状態において必ず上方を向く、カバー体１７の側面１７ａに２つのアンテナ２０ａ，２０ｂを共に埋設するようにしたので、アンテナ２０ａ，２０ｂに衛星１２からの放送電波が妨害なく効率的に受信されることになる。
【００３９】
また、このカバー体１７の側面１７ａも、通常の使用状態においてユーザによって覆われる可能性の極めて低い場所であり、アンテナ２０ａ，２０ｂに衛星１２からの放送電波を妨害なく効率的に受信させることが可能となる。
【００４０】
図５は、この発明の第３の実施の形態を、図２と同一部分に同一符号を付して示している。すなわち、この第３の実施の形態では、２つのアンテナ２０ａ，２０ｂのうちの一方のアンテナ２０ａを、カバー体１７を閉じたときにカバー体１７で覆われることのない、電池収納部１６に埋設している。
【００４１】
この第３の実施の形態に示される構成によれば、本体１５のうち、カバー体１７を閉じたときにカバー体１７で覆われることなく、常に露出している部分に一方のアンテナ２０ａを設置するようにしている。
【００４２】
これにより、例えばラジオ放送等のように、液晶パネル１８を見る必要のない放送コンテンツを受信する場合に、カバー体１７を閉じた状態でも効率的に衛星１２からの放送電波を受信することが可能となる。
【００４３】
図６は、この発明の第４の実施の形態を、図２と同一部分に同一符号を付して示している。この第４の実施の形態では、本体１５のアンテナ２０ａ，２０ｂの設置位置と異なる位置に、ユーザが持つ場所を形成している。
【００４４】
すなわち、本体１５の電池収納部１６に、ユーザが左手の親指を置くための凹状のガイド部２９ａを形成し、本体１５の電池収納部１６と反対側の端部の平面１５ａに、ユーザが右手の親指を置くための凹状のガイド部２９ｂを形成している。
【００４５】
このように、本体１５にユーザが持つ場所を形成することにより、２つのアンテナ２０ａ，２０ｂがユーザの手によって覆われる可能性をより低くすることができ、衛星１２からの放送電波をアンテナ２０ａ，２０ｂに妨害なく効率的に受信させることが可能となる。
【００４６】
また、本体１５のユーザが持つ場所の近傍に、ユーザが比較的多用する操作子を設置しておけば、ユーザが本体１５に形成された持つ場所を把持するように導かれ易くなり、２つのアンテナ２０ａ，２０ｂがユーザの手によって覆われる可能性をより一層低くすることができる。
【００４７】
図６では、ガイド部２９ａの近傍に、選局するチャンネルを切り替えるためのチャンネルアップ及びダウンキー３０を備え、ガイド部２９ｂの近傍に、音量を調整するための音量アップ及びダウンキー３１を備えた例を示している。
【００４８】
図７は、この発明の第５の実施の形態を示している。この第５の実施の形態では、第１乃至第４の実施の形態のように、本体１５に対して開閉するカバー体１７を備えない放送受信端末１３を説明している。
【００４９】
すなわち、この放送受信端末１３は、薄厚の直方体状に形成された本体３２を備えている。そして、この放送受信端末１３は、通常の使用状態において、本体３２をユーザが直立させるように持って使用する。
【００５０】
この場合、本体３２の一方の平面３２ａには、上方から、液晶パネル３３及び複数の操作子を有する操作部３４が設置されている。また、本体３２の最下部は、電池収納部３５となっている。
【００５１】
ここで、本体３２には、その通常の使用状態において上方を向く面３２ｂに、２つのアンテナ３６ａ，３６ｂが共に埋設されている。これにより、２つのアンテナ３６ａ，３６ｂに衛星１２からの放送電波が妨害なく効率的に受信されるようになる。
【００５２】
なお、この発明は上記した各実施の形態に限定されるものではなく、この外その要旨を逸脱しない範囲で種々変形して実施することができる。また、上記した各実施の形態に示される特徴的な構成は、それぞれ矛盾の生じない範囲で任意選択的に組み合わせて実施することができることはもちろんである。
【００５３】
【発明の効果】
以上詳述したようにこの発明によれば、簡易な構成で衛星からの放送電波を妨害なく効率的に受信し得る放送受信装置及び放送受信方法を提供することができる。
【図面の簡単な説明】
【図１】この発明の第１の実施の形態を示すもので、モバイルＴＶ放送システムの概略を説明するために示す図。
【図２】同第１の実施の形態における放送受信端末の外観を説明するために示す斜視図。
【図３】同第１の実施の形態における放送受信端末の信号処理系を説明するために示すブロック構成図。
【図４】この発明の第２の実施の形態における放送受信端末の外観を説明するために示す斜視図。
【図５】この発明の第３の実施の形態における放送受信端末の外観を説明するために示す斜視図。
【図６】この発明の第４の実施の形態における放送受信端末の外観を説明するために示す斜視図。
【図７】この発明の第５の実施の形態における放送受信端末の外観を説明するために示す斜視図。
【符号の説明】
１１…放送局、１２…衛星、１３…放送受信端末、１４…ギャップフィラー、１５…本体、１６…電池収納部、１７…カバー体、１８…液晶パネル、１９…操作部、２０ａ，２０ｂ…アンテナ、２１…ＲＦモジュール部、２２…デコード処理部、２３…音声出力端子、２４…グラフィック処理部、２５…映像出力端子、２６…システムコントローラ、２７…第１の記憶部、２８…第２の記憶部、２９ａ，２９ｂ…ガイド部、３０…チャンネルアップ及びダウンキー、３１…音量アップ及びダウンキー、３２…本体、３３…液晶パネル、３４…操作部、３５…電池収納部、３６ａ，３６ｂ…アンテナ。
【図１】
2004254117.tif 000003
【図２】
2004254117.tif 000004
【図３】
2004254117.tif 000005
【図４】
2004254117.tif 000006
【図５】
2004254117.tif 000007
【図６】
2004254117.tif 000008
【図７】
2004254117.tif 000009